(57)【要約】【課題】本発明は、把手が包装袋の容器上部に設けた注ぎ口を囲むように重心の上方部に配置することで持ち運びが容易となり、しかも注ぎ口を中央部にすることにより注出する際に開口性に優れ、閉塞しにくい把手付包装袋を提供するものである。【解決手段】袋の上部中央部近傍に注ぎ口（１４）を設けここから内容物を注出する形状の包装袋としたもので、この注ぎ口を取り巻くように切れ目や、打ち抜き等により把手（１５）を一体として形成した把手付包装袋（１０）である。また、包装袋胴部にくびれ部をシール部により設けて袋本体も持ちやすくし、内容物を注出し易いようにしたものである。さらに、前記包装袋の底部にも切れ目や打ち抜き等により把手を一体として設けたことにより、さらに持ち運びを容易にるものである。【選択図】図１
2004168341.tif 000002
【特許請求の範囲】
【請求項１】
上部中央部近傍に注ぎ口を設けた液体や粘稠体の包装袋であって、切れ目や打ち抜き等により注ぎ口を取り巻くように把手を一体として設けたことを特徴とする把手付包装袋。
【請求項２】
前記包装袋胴部にくびれ部をシール部により設けたことを特徴とする請求項１記載の把手付包装袋。
【請求項３】
前記包装袋の底部にも切れ目や打ち抜き等により把手を一体として設けたことを特徴とする請求項１乃至請求項２記載の把手付包装袋。
【請求項４】
前記包装袋がスタンディングパウチであることを特徴とする請求項１乃至請求項２または請求項３に記載の把手付包装袋。
【発明の詳細な説明】
【０００１】
【発明の属する技術分野】
本発明は、シャンプー、液体洗剤等の液体や粘稠体製品を充填する包装袋であり、特に、液体や粘稠体製品を５００ｍｌ以上の充填を可能とした通称スタンディングパウチと称される把手付包装袋に関するものである。
【０００２】
【従来の技術】
従来より、詰替用等としてシャンプーや洗剤等を充填した一般的な密封包装袋やスタンディングパウチと呼称される包装袋が知られている。
例えば、これらの包装袋の一例を挙げると、図５に示すように、２００ｍｌ〜４００ｍｌ以下の袋（３０）の場合が多く、容器に詰め替える場合もこの袋の上部で、かつ角部（コーナー）の一部をカット（ｔ）して注ぎ口（３４）としていた。さらに、図示はしないが角部等に吊り下げ用等の小さな貫通孔を設けた包装袋は一般的になってきている。また把手付の包装袋も吊り下げ兼用で市販されるようになつてきた。しかしながら、容量の少ない包装袋の場合は良いが、５００ｍｌ以上の大容量のシャンプーや洗剤等を充填した包装袋の場合、従来の包装袋においては持ち難く、また持ち運びに不便であった。また、包装袋或いはスタンディングパウチのコーナー付近より内容物を注出する場合、シール部（３３）を下にして注ぎ出すので、注ぎ口（３１）が折れ曲がったりして注ぎ口が詰まるなど閉塞し易かった。
【０００３】
【発明が解決しようとする課題】
そこで本発明の把手付包装袋は、上記の問題を解決するためになされたもので、把手が包装袋の容器上部に設けた注ぎ口を囲むように重心の上方部に配置することで持ち運びが容易となり、しかも注ぎ口を中央部にすることにより注出する際に開口性に優れ、閉塞しにくい把手付包装袋を提供するものである。
【０００４】
【課題を解決するための手段】
上記目的を達成するために請求項１記載の本発明は、
袋の上部中央部近傍に注ぎ口を設けた液体や粘稠体の包装袋であって、切れ目や打ち抜き等により注ぎ口を取り巻くように把手を一体として設けたことを特徴とする把手付包装袋である。
【０００５】
また、請求項１記載の把手付包装袋において、
前記包装袋胴部にくびれ部をシール部により設けたことを特徴とするものである。
【０００６】
また、請求項１乃至請求項２記載の把手付包装袋において、
前記包装袋の底部にも切れ目や打ち抜き等により把手を一体として設けたことを特徴とするものである。
【０００７】
さらに、請求項１乃至請求項２又は請求項３に記載の把手付包装袋において、
前記包装袋がスタンディングパウチであることを特徴とするものである。
【０００８】
【発明の実施の形態】
本発明の把手付包装袋は５００ｍｌ以上の大容量包装袋、或いはスタンディングパウチに対応するもので、袋の上部中央部近傍に注ぎ口を設けここから内容物を注出する形状の包装袋としたもので、この注ぎ口を取り巻くように切れ目や、打ち抜き等により把手を一体として形成した把手付包装袋である。また、包装袋胴部にくびれ部をシール部により設けて袋本体も持ちやすくし、内容物を注出し易いようにしたものである。
さらに、前記包装袋の底部にも切れ目や打ち抜き等により把手を一体として設けたことにより、さらに持ち運びを容易にるものである。
【０００９】
以下、図に基づき本発明を詳細に説明する。
図１は、本発明の一実施例における把手付包装袋を平面図で表した説明図である。また、図２は、本発明の他の実施例における把手付包装袋を平面図で表した説明図である。さらに、図３は、本発明の他の実施例における把手付包装袋を平面図で表した説明図である。
【００１０】
図１に示す本発明の把手付包装袋は、基材フィルムとシーラントフィルムからなる包材であり、基材フィルムとしては、Ｎｙ、ＰＥＴ、ＯＰＰ、ＡＬ、ＶＭ−ＰＥＴ、ＶＭ−Ｎｙ、無機蒸着フィルム、紙等が挙げられる。
また、シーラントフィルムとしては、ＬＤＰＥ、ＬＬＤＰＥ、ＰＰ等が挙げられるが、これらのフィルムは要求される物性強度や品質に適合するように各種フィルムを選定すれば良い。特に限定はしないが、主な包材構成を下記に示す。
・外側より内側方向に向かって、
Ｎｙ／ＬＬＤＰＥ
ＰＥＴ／Ｎｙ／ＬＬＤＰＥ
Ｎｙ／ＡＬ／ＬＬＤＰＥ
ＰＥＴ／ＡＬ／Ｎｙ／ＬＬＤＰＥ
Ｎｙ／ＶＭ−ＰＥＴ／ＬＬＤＰＥ
無機蒸着フィルム／Ｎｙ／ＬＬＤＰＥ
ＰＥＴ／無機蒸着フィルム／Ｎｙ／ＬＬＤＰＥ
以上、これらの積層方法は特に限定しないが、一般的に行われているドライラミネートや押出しラミネート等が挙げられる。
【００１１】
図１に示す包装袋（１０）は、収納部（１６）の上部中央部近傍に注ぎ口（１４）を設けた液体や粘稠体の包装袋である。さらに、この袋の上方のシール部（１３）に切れ目や打ち抜き等により切り抜き部（１２）を設けると同時に収納部上部の注ぎ口（１４）を形成すると共に、この注ぎ口を取り巻くように把手（１５）を一体として設けたことを特徴とする把手付包装袋（１０）である。
【００１２】
また、切り抜き部（１２）の形状は限定しないが、把手（１５）がボトム部分と平行に形成されることと、注ぎ口（１４）が収納部（１６）上方の中央部に設けられる形状が好ましい。
【００１３】
この把手付包装袋（１０）は、トップの中央部に注ぎ口（１４）を設けることにより、容易に内容物を取り出すことができる。また５００ｍｌ以上の大容量包装袋であっても、注ぎ口を囲むように設けた把手（１５）により持ち運び易くなり、しかも内容物を取り出す際に把手及びボトム部を持って注ぐ方法や、把手をボトム側へ折り曲げ本体を支えるように注ぎだす方法も容易になる。
【００１４】
すなわち、この把手付包装袋（１０）は、把手（１５）が重心の上方部に配置されることで持つ運び易く、また注ぎ口（１４）が収納部の上方中央部に設けることにより注ぎだす際に開口性に優れ閉塞しにくい特徴が得られる。
【００１５】
また図２は他の実施例を示すもので、図に示すように、包装袋の収納部（１６）の中央部近傍にシール部（１３）によりくびれ部（２１）を形成し内容物の圧力を一点に集中させないようにしたもので、これにより大容量の包装袋であっても容易に取り出すことができ、また袋が破壊することがない。
【００１６】
また図３に示すように、前記包装袋同様に、胴部にくびれ部（２２）を設けたことにより前記同様の効果を得ることができる。
【００１７】
さらに、図４に示すように、この把手付包装袋（１０）の底部（１７）にも任意形状の切れ目や打ち抜き等による切れ抜き部（１８）により把手（１５）を一体として設けたもので、大容量の包装袋をさらに持ち易くしたものである。また、内容物を取り出す際に底部の把手（１５）を用いて吊り下げることにより内容物の取り出しが容易になる。
【００１８】
また、本発明の把手付包装袋の実施例においては一般的な密封包装袋で説明したが、図示はしないが、スタンディングパウチ方式の包装袋でもよく、包装袋の得られる効果、特徴は前記同様である。しかもスタンディングパウチ方式の包装袋にすることにより大容量の内容物を収納することが可能となる。
【００１９】
【発明の効果】
本発明は以上の構成であるから、下記に示す如き効果がある。
すなわち、本発明の把手付包装袋は、収納部上方の中央部に注ぎ口を設けることにより、容易に内容物を取り出すことができる。また５００ｍｌ以上の大容量包装袋であっても、注ぎ口を囲むように設けた把手により持ち運び易くなり、しかも内容物を取り出す際に把手及びボトム部を持って注ぐ方法や、把手をボトム側へ折り曲げ本体を支えるように注ぎだす方法も容易になる。
また、前記の把手は包装袋の底部にも設けることにより一層持ち易くなる。さらに、この把手付包装袋はスタンディングパウチ方式の包装袋でもよく、包装袋の得られる効果、特徴は前記同様である。しかもスタンディングパウチ方式の包装袋にすることにより大容量の内容物を収納することが可能となる。
すなわち、この把手付包装袋は、把手が重心の上方部に配置されることで持つ運び易く、また注ぎ口が収納部の上方中央部に設けることにより注ぎだす際に開口性に優れ閉塞しにくい等の種々の優れた効果を奏するものである。
【図面の簡単な説明】
【図１】本発明の一実施例における把手付包装袋を平面図で表した説明図である。
【図２】本発明の他の実施例における収納部にくびれ部を設けた把手付包装袋を示す平面図で表した説明図である。
【図３】本発明の他の実施例における包装袋にくびれ部を設けた把手付包装袋を示す平面図で表した説明図である。
【図４】本発明の同実施例を示す、天部と底部に把手を設けた把手付包装袋を示す説明図である。
【図５】従来における包装袋の一例を示す説明図である。
【符号の説明】
１０……把手付包装袋
１２，１８……切り抜き部
１３，３３……シール部
１４，３４……注ぎ口
１５……把手
１６，３６……収納部
１７……底部
２１……収納部のくびれ部
２２……包装袋のくびれ部
３０……従来の包装袋
ｔ……切り取り線
【図１】
2004168341.tif 000003
【図２】
2004168341.tif 000004
【図３】
2004168341.tif 000005
【図４】
2004168341.tif 000006
【図５】
2004168341.tif 000007